(57)【特許請求の範囲】
【請求項１】
増養殖施設においてシマイサキを用いて、魚類体表面に付着した寄生虫を駆除することを特徴とする魚類寄生虫駆除方法。
【請求項２】
シマイサキの全長が５〜１２ｃｍであることを特徴とする請求項１記載の魚類寄生虫駆除方法。
【請求項３】
魚類がマダイ、クロダイ、キチヌ、ボラ、メナダ又はシマイサキであることを特徴とする請求項１又は２記載の魚類寄生虫駆除方法。
【発明の詳細な説明】
【０００１】
【発明の属する技術分野】
本発明は、シマイサキを用いて、魚類体表面に付着した寄生虫を駆除する魚類寄生虫駆除方法に関する。
【０００２】
【従来の技術】
従来、飼育魚の体表面に付着する寄生虫を駆除する方法として、海水魚では淡水浴による方法や薬による方法（薬浴）が開発されている。
しかしながら、淡水浴では生簀の移動や淡水により飼育魚にストレスが加わること、移動の際にできる魚体のスレが新たな感染症を引き起こす原因となること、さらには多くの人手を必要とすることなど、効果はあがっていない。
【０００３】
一方、薬浴ではトリクロロホンやホルマリン等が駆虫効果があるとされて使用されているが、いずれも生物毒性が極めて高く、例えばブリに寄生する寄生性カイアシ類の駆除に使用されるディプテレックス（トリクロロホンを主成分とする農薬）は、１００ｐｐｍ、５０秒浴でほぼ１００％駆虫することができるものの、ブリ自体に対する毒性も極めて高く、わずか１００ｐｐｍ、３分浴で仮死状態となることが報告されている。
【０００４】
また、薬剤によっては、飼育魚体内で残留する危険性が指摘されている。現場では、これら薬剤は生簀自体をシートで囲んで大量に投与するが、使用後はシートを取り除きそのまま海へ投棄しており、深刻な環境汚染が懸念されている。    このように寄生虫の駆除については、効果的な治療法が開発されておらず、抜本的な解決が望まれていた。
【０００５】
【発明が解決しようとする課題】
飼育魚の体表面に付着する寄生虫を効果的に駆除する方法の開発を課題とする。
【０００６】
【課題を解決するための手段】
熱帯・亜熱帯地域では、ホンソメワケベラ（ベラ科）がハタ等に付着した寄生虫をクリーニングすることが知られているが、日本周辺の温帯の地域では、これまでクリーニングを行う魚の存在は知られていなかった。
ところが、本発明者は、広島県大野町塩屋漁港内で、大型のクロダイ（タイ科）やボラ（ボラ科）が全長１０ｃｍのシマイサキ幼魚（シマイサキ科）によりクリーニングを受けているのを発見した。
【０００７】
本発明は、この発見に基いてなされたものである。すなわち、
(１)  増養殖施設においてシマイサキを用いて、魚類体表面に付着した寄生虫を駆除することを特徴とする魚類寄生虫駆除方法、
(２)  シマイサキの全長が５〜１２ｃｍであることを特徴とする(１)記載の魚類寄生虫駆除方法、
(３)  魚類がマダイ、クロダイ、キチヌ、ボラ、メナダ又はシマイサキであることを特徴とする(１)又は(２)記載の魚類寄生虫駆除方法、
に関する。
【０００８】
ホンソメワケベラ等のクリーナーは、クリーニングステーションと呼ばれるクリーニングを行うための決まった場所を形成し、クライアントはクリーニングの必要がある時、その場所を訪れてクリーナーにクリーニングを要求する。
クリーナーはクライアントの体表、口腔内あるいは鰓腔内に寄生する寄生虫（寄生性カイアシ類、等脚類等）、体表の粘液、剥がれかけた鱗などを採餌し、それを重要な餌資源としている。
【０００９】
一方、クライアントのほうは、クリーナーを襲うことはせず、自ら除去できない寄生虫などを駆除してもらうことにより、不快感を取り除き自らの健康状態を維持している。このような関係を「相利共生の関係」にあるという。
今回発見したシマイサキがクリーニングを行うという生物現象を利用し、養殖場や水族館等の飼育魚と混ぜて飼育することにより、養殖魚や観賞魚の寄生虫を環境汚染なく効果的に駆除することを可能ならしめた。
【００１０】
【発明の実施の形態】
シマイサキは、スズキ目シマイサキ科に属し、体長２５ｃｍに達する。中部日本以南から台湾、フィリピンに分布している。内湾、沿岸浅瀬や河口の汽水域に多く、全長１２〜１３ｃｍ程度になる１０月上旬までは漁港内で多数見受けられるが、それ以上の個体は港外へ移動し水深１０ｍ程度の沿岸で産卵親魚が採集された。
【００１１】
クリーニングを観察できたのは、広島県大野町塩屋漁港内にいたシマイサキで、７月から１０月までは全長６〜１２ｃｍ、平均１０．３ｃｍ（ｎ＝２０）の個体がクリーニングを行うのを観察した。１０月以降は全長５ｃｍ程度の新規着底群が多数観察され、これらの個体も盛んにクリーニングを行うのが観察された。つまり、漁港内では周年シマイサキによるクリーニングが行われている。
【００１２】
漁港内に棲息する魚類は、６目、１６科、２６種であり、このうち全長２０ｃｍ以上で漁港内において出現頻度の高い魚類は、クロダイ、ボラ、メナダ（ボラ科）、ウグイ（コイ科）の５種であった。
これまでにシマイサキのクリーニングに集まるクライアントは、マダイ、クロダイ、キチヌ（タイ科）、ボラ、メナダ、シマイサキの６種が観察されており、これらはクリーナーに対しクリーニング請求ポーズをとることが確認された。このうちシマイサキのクリーニングを実際受けているところを観察できたのは、マダイ、クロダイ、ボラ、メナダ、シマイサキの５種であった。
【００１３】
クリーニング行動は、一般的にクライアントがクリーナーを認識し、そこでクリーナーに対してそれぞれのクライアントに特徴的なクリーニング請求ポーズをとり、クリーナーがクリーニングを開始することにより構成される。
マダイやクロダイの場合、移動中にシマイサキを発見すると、遊泳方向をシマイサキのいる方向へ急に変える。シマイサキの幼魚には体側に特徴的な４本の黒色縦帯がある。０．５〜３ｍの距離からシマイサキを発見し接近していく。クロダイはシマイサキの鼻先へ回り込み、定位して自分の体の前側面をシマイサキに見せる。次に頭部を前方方向に少し傾け、左右両胸鰭を大きく広げ、シマイサキがクリーニングするまで待つ。
【００１４】
シマイサキは、普通は砂底に棲息する底生生物を採餌しており、シマイサキがクリーニングをしてくれるまで、その方向が変化するたびにクロダイも位置を変化させ、クリーニングの請求を続ける。クロダイの場合、最も長くて４分間程度クリーニングを待つが、それでもクリーニングをしてもらえない時はあきらめて泳ぎ去る。
【００１５】
ボラ、メナダの場合も比較的類似した行動をとるが、クリーニングをしてもらえるまで底層に敷石状に並び、およそ３０分間も待つケースがあった。
クリーニングは基本的にシマイサキ１個体がクライアント１個体にクリーニングすることから始まる。しばらくするとそれを見た他の個体も集まり始める。（図１）
クロダイの場合、全長１０〜５０ｃｍの個体がわずか０．４９〜２．２５ｍ２（平均１．３７ｍ２）の範囲に平均１５．９個体も集まる。これは５．７〜３０個体／ｍ２（平均１３．９個体／ｍ２）で、平時のクロダイの棲息密度０．４６個体／ｍ２のおよそ３０倍の高密度となる。
【００１６】
この習性を利用して、漁獲量の向上を図ることも可能である。すなわち、クロダイの棲息しているところにシマイサキを放ち、シマイサキにクリーニングをしてもらいたくて、クロダイが集まってくるところを漁獲すれば、３０倍の収穫が期待できる。
クリーニングの行われる場所は、常にシマイサキの採餌探索経路に沿った、水深０．４〜２．７ｍ（平均０．９２ｍ）の砂泥底あるいはコンクリート底上に形成されていた。
【００１７】
漁港内は干満の差があり、クリーニングは潮汐の動きが激しくない、満潮過ぎと干潮時にのみ観察された。
シマイサキがクライアントの体表をクリーニングする際は、注意深く体表を覗き込み、特徴のある先の尖った口でクライアントの体表をつつく。口内の歯もクライアントを傷つけないような、微小なものとなっている。良い餌がいない時は次々にクライアントを移っていく。シマイサキのクロダイ体表のつつき頻度は４．９回／３０秒で、頭部、尾部上部、腹部後部付近を好むようであった。ボラ、メナダの場合は、鰓蓋から胸鰭付近を中心に、頭部、尾部上部をつつくのが観察された。
【００１８】
【発明の効果】
本発明の、シマイサキを養殖場や水族館等の飼育魚と混ぜて飼育することにより、養殖魚や観賞魚の寄生虫を環境汚染なく効果的に駆除することを可能ならしめると同時に、シマイサキを放流することにより漁獲量の向上が可能となる。
【図面の簡単な説明】
【図１】シマイサキがクリーニング行動をしていることを示す図。
【図１】
0003593557.tif 000002